(57)【要約】      （修正有）【課題】ソケットから垂れ下がる複数本のペンダントケーブルで照明ランプを天井から吊り下げる形式のペンダント照明器具において、照明ランプが揺れて破損するのを防止し、また、各照明ランプを任意の吊り下げ位置に調整可能な、ペンダント照明器具を提供する。【解決手段】照明ランプ１３のグローブ１３ｂに透明な軟質プラスチック製のリング状ベルト１９を装着する。リング状ベルト１９が緩衝材となって隣接するグローブ１３ｂが直接接触するのを回避でき、衝当によるグローブ１３ｂの破損を防止できる。リング１４とソケット１１の間のペンダントケーブル１２に弛み１２ａを形成することにより、あるいは、リング１４とリング１４の間のペンダントケーブル１２に弛み１２ａを形成することにより、天井からペンダントケーブル１２で吊り下げられる照明ランプ１３の吊り下げ位置を調整し、ペンダント照明器具１０のインテリアとしての装飾効果を高める。【選択図】図４
2018063847.tif 000002
【特許請求の範囲】
【請求項１】
シーリングコンセントに接続されるソケットから複数本のペンダントケーブルを延ばし、各ペンダントケーブルで照明ランプを天井から吊り下げるペンダント照明器具であって、
隣接する照明ランプのグローブ同士が直接接触するのを防止する緩衝手段として前記グローブの外周面にベルトを装着したことを特徴とするペンダント照明器具。
【請求項２】
前記ベルトが軟質プラスチック製又はゴム製のリング状ベルトであることを特徴とする請求項１に記載のペンダント照明器具。
【請求項３】
前記複数本のペンダントケーブルを束ねて締め付ける束ね具を備え、ソケットと束ね具との間でペンダントケーブルを弛ませるとともに、束ね具とペンダントケーブルの間及びペンダントケーブル同士の摩擦により弛みを維持することにより、照明ランプの天井からの吊り下げ位置を調整可能にしたことを特徴とする請求項１に記載のペンダント照明器具。
【請求項４】
前記束ね具としてゴム又は軟質プラスチック製のリングを用い、該リングに複数本のペンダントケーブルを挿通することを特徴とする請求項３に記載のペンダント照明器具。
【発明の詳細な説明】
【技術分野】
【０００１】
本発明は照明ランプを天井から吊り下げるペンダント照明器具に関する。
【背景技術】
【０００２】
ペンダント照明器具の一形式として、図８に示すように、シーリングコンセント１８に接続したソケット１１から複数本のペンダントケーブル１２を垂れ下げ、各ペンダントケーブル１２で照明ランプ１３を天井から吊り下げるペンダント照明器具が実用に供されている。
【先行技術文献】
【特許文献】
【０００３】
【特許文献１】引用無し
【発明の概要】
【発明が解決しようとする課題】
【０００４】
従来のペンダント照明器具では、シーリングコンセント１８を動かしてペンダント照明器具の位置を変更するときに、あるいは空調の風で照明ランプ１３が揺れると、隣接する照明ランプ１３のグローブ１３ｂとグローブ１３ｂが衝当し、破損するおそれがある。
また、従来のペンダント照明器具では、各照明ランプ１３の天井からの吊り下げ位置がペンダントケーブル１２の長さによって一義的に定まり、照明ランプ１３を任意の吊り下げ位置に設定できない。
本発明はかかる問題点に鑑み、ソケット１１から垂れ下がる複数本のペンダントケーブル１２で照明ランプ１３を天井から吊り下げる形式のペンダント照明器具において、照明ランプ１３が揺れて破損するのを防止できるペンダント照明器具を提供することを目的とする。
また、各照明ランプ１３の天井からの吊り下げ位置を任意の位置に調整可能なペンダント照明器具を提供することを目的とする。
【課題を解決するための手段】
【０００５】
請求項１に記載の発明は、
シーリングコンセントに接続されるソケットから複数本のペンダントケーブルを延ばし、各ペンダントケーブルで照明ランプを天井から吊り下げるペンダント照明器具であって、
隣接する照明ランプのグローブ同士が直接接触するのを防止する緩衝手段として前記グローブの外周面にベルトを装着したことを特徴とする。
【０００６】
請求項２に記載の発明は、請求項１に記載のペンダント照明器具において、前記ベルトが軟質プラスチック製又はゴム製のリング状ベルトであることを特徴とする。
【０００７】
請求項３に記載の発明は、請求項１に記載のペンダント照明器具において、前記複数本のペンダントケーブルを束ねて締め付ける束ね具を備え、ソケットと束ね具との間でペンダントケーブルを弛ませるとともに、束ね具とペンダントケーブルの間及びペンダントケーブル同士の摩擦により弛みを維持することにより、照明ランプの天井からの吊り下げ位置を調整可能にしたことを特徴とする。
【０００８】
請求項４に記載の発明は、請求項３に記載のペンダント照明器具において、
前記束ね具としてゴム又は軟質プラスチック製のリングを用い、該リングに複数本のペンダントケーブルを挿通することを特徴とする。
【発明の効果】
【０００９】
請求項１に記載の発明によれば、照明ランプが揺れてもベルトが緩衝材となり、隣接する照明ランプのグローブ同士が直接接触しないので、隣接するグローブ同士の衝当による破損を防止できる。
【００１０】
請求項２に記載の発明によれば、ベルトが軟質プラスチック製又はゴム製でリング形状を有するので、ベルトを照明ランプのグローブに装着するときベルトが伸縮してグローブに密着する。そのため、ベルトのグローブへの装着が迅速容易に行える。
【００１１】
請求項３に記載の発明によれば、ソケットと束ね具との間のペンダントケーブルを弛ませることにより、天井からペンダントケーブルで吊り下げられる照明ランプの吊り下げ位置を調整できる。また、複数個の束ね具を備えたペンダント照明器具では、束ね具と束ね具の間のペンダントケーブルを弛ませて照明ランプの天井からの吊り下げ位置を調整できる。
そして、束ね具とペンダントケーブルの間の摩擦により弛みを維持するので、ペンダントケーブルを弛ませるだけの簡単な操作で複数個の照明ランプの吊り下げ位置を調整して維持できる。
ペンダントケーブルの弛み量を調整することに照明ランプの吊り下げ位置を任意の高さに設定できるので、ペンダント照明器具のインテリアとしての装飾効果を高めることができる。
【００１２】
請求項４に記載の発明によれば、束ね具としてゴム又は軟質プラスチック製のリングを用いるので、リングとペンダントケーブル間の摩擦により確実に弛みを維持できる。構成が簡単なため使い勝手が良い。
【図面の簡単な説明】
【００１３】
【図１】本発明の実施例に係るペンダント照明器具を示す斜視図である。
【図２】同ペンダント照明器具のリングを示す斜視図である。
【図３】同ペンダント照明器具のリング状ベルトを示す斜視図である。
【図４】同ペンダント照明器具のリングの他の使い方を示す斜視図である。
【図５】同ペンダント照明器具のリングの他の使い方を示す斜視図である。
【図６】同ペンダント照明器具の照明ランプとリング状ベルトを示す部分拡大斜視図である。
【図７】同ペンダント照明器具の照明ランプとリング状ベルトを示す他の部分拡大斜視図である。
【図８】従来のペンダント照明器具を示す斜視図である。
【実施例】
【００１４】
以下に本発明を図面に基づき説明する。図１には本発明の実施例に係るペンダント照明器具１０が示されている。当該ペンダント照明器具１０は、ソケット１１と、複数本のペンダントケーブル１２と、各ペンダントケーブル１２の下端部に連結された照明ランプ１３及び束ね具として２個の軟質プラスチック製のリング１４を備え、ペンダントケーブル１２の束がリング１４に挿通されている。
【００１５】
複数本のペンダントケーブル１２の天井側端部は球形のカバー１５で覆われ、ソケット１１から垂下するコード１６とカバー１５内部で連結されている。各ペンダントケーブル１２は、同じ長さのものが使用されている。
【００１６】
ソケット１１は、天井に固定したダクトレール１７に摺動可能に組み込まれているシーリングコンセント１８に着脱可能に連結される。ソケット１１をシーリングコンセント１８に接続することにより、各照明ランプ１３がペンダントケーブル１２で天井から吊り下げられる。
【００１７】
図２に拡大して図示するように、リング１４は容易に弾性変形するように、外周部の中間に環状溝１４ａが形成されている。リング１４はその中心穴１４ｂにペンダントケーブル１２の束を挿通したとき、ペンダントケーブル１２の束を締め付けて、リング１４とペンダントケーブル１２との間に適度の摩擦が生ずるように、ペンダントケーブル１２の太さ、本数、材質に応じた所要の内径及び材質を有している。
【００１８】
照明ランプ１３は、ペンダントケーブル１２の下端部に連結されたランプ用ソケット１３ａと、ランプ用ソケット１３ａに着脱可能に装着されたガラス製のグローブ１３ｂを備えている。そして、グローブ１３ｂにリング状ベルト１９が装着されている。図３にリング状ベルト１９を拡大して図示する。  リング状ベルトは透明な軟質プラスチック製で、柔軟性及び伸縮性を有するので、グローブに密着し、グローブにおける装着位置を容易に調整できる。
【００１９】
本実施例に係るペンダント照明器具１０の構成は以上の通りであって、図４に示すように、２個のリング１４をペンダントケーブル１２に沿って上下に摺動させて位置を変え、上側のリング１４とソケット１１の間のペンダントケーブル１２に弛み１２ａを形成することにより、あるいは図５に示すように、上側のリング１４と下側のリング１４の間のペンダントケーブル１２に弛み１２ａを形成することにより、天井からペンダントケーブル１２で吊り下げられる照明ランプ１３の吊り下げ位置を調整でき、ペンダント照明器具１０のインテリアとしての装飾効果を高めることができる。リング１４とペンダントケーブル１２の間の摩擦により弛みを維持するので、ペンダントケーブル１２を弛ませるだけの簡単な操作で複数個の照明ランプ１３の吊り下げ位置を任意の位置に調整し、維持できる。
【００２０】
照明ランプ１３のグローブ１３ｂにリング状ベルト１９を装着したので、図６に拡大して図示するように、リング状ベルト１９が緩衝材となって隣接するグローブ１３ｂが直接接触するのを回避でき、グローブ１３ｂとグローブ１３ｂとの衝当によるグローブ１３ｂの破損を防止できる。
また、図７に示すように、グローブ１３ｂとランプ用ソケット１３ａが直接接触するのを回避でき、グローブ１３ｂとランプ用ソケット１３ａの衝当によるグローブ１３ｂの破損を防止できる。
【００２１】
なお、本実施例では束ね具として軟質プラスチック製のリング１４を使用しているが、これに代えてゴム製リングまたはコイルスプリング状の部材にペンダントケーブル１２の束を挿通し、あるいは、紐状の部材でペンダントケーブル１２の束を結束するように構成することもできる。
また、リング１４はペンダントケーブル１２の長さに合わせて1個あるいは３個以上備えても良い。
【００２２】
本実施例では、緩衝手段として軟質プラスチック製の透明なリング状ベルトを用いたが、不透明でも良く、あるいは着色してペンダント照明器具のインテリアとしての装飾を高めることもできる。また、リング状ベルトを一個のグローブに複数本装着して緩衝手段としての作用効果をより高めることも可能である。
【符号の説明】
【００２３】
１０…ペンダント照明器具
１１，２１…ソケット
１２…ペンダントケーブル
１３…照明ランプ
１３ａ…ランプ用ソケット
１３ｂ…グローブ
１４…リング
１８…シーリングコンセント
１９…リング状ベルト
【図１】
2018063847.tif 000003
【図２】
2018063847.tif 000004
【図３】
2018063847.tif 000005
【図４】
2018063847.tif 000006
【図５】
2018063847.tif 000007
【図６】
2018063847.tif 000008
【図７】
2018063847.tif 000009
【図８】
2018063847.tif 000010